(57)【特許請求の範囲】
【請求項１】
ラチェットレバーに支持されてラチェットギヤの側面に摺接可能に押し付けられ、一方向に回転する前記ラチェットギヤとの摩擦によって前記ラチェットレバーを前記ラチェットギヤに係止可能なラチェット有効位置に付勢すると共に、他方向に回転する前記ラチェットギヤとの摩擦によって前記ラチェットレバーを前記ラチェットギヤに係止不能なラチェット無効位置に付勢するための板金製のラチェット摺接部材であって、
前記ラチェットレバーのうち前記ラチェットギヤ側を向いた外縁部に宛われる中央板部と、
前記中央板部の両側部から曲げ起こされて対向配置され、間に前記ラチェットギヤを挟持可能な１対の弾性対向片と、
前記１対の弾性対向片における互いに対向する位置から互いに接近する側に突出し、先端部が前記ラチェットギヤに当接する１対の摺接突部と、
前記１対の弾性対向片における互いに対向する位置に設けられて、前記摺接突部の先端部に向かうに従って徐々に互いに接近するように傾斜した１対のガイド傾斜部とを備えたことを特徴とするラチェット摺接部材。
【請求項２】
前記ガイド傾斜部は、各前記摺接突部の先端部に対して前記中央板部と前記弾性対向片との間の折り曲げ線の方向の両側に配置されたことを特徴とする請求項１に記載のラチェット摺接部材。
【請求項３】
一方の前記弾性対向片を、前記中央板部との間の折り曲げ線の方向に１対の脚部を備えたアーチ構造とし、前記ラチェット摺接部材を構成する板金のうち前記１対の脚部に挟まれた部分と前記中央板部の中間部とに亘る部分を、他方の前記弾性対向片の基端部から面一になって延びた取付片とし、その取付片の先端に貫通形成した取付孔を前記ラチェットレバーの回動支軸シャフトに挿通して取り付け可能としたことを特徴とする請求項２に記載のラチェット摺接部材。
【請求項４】
シャッターカーテンの巻取シャフトと共に回転するラチェットギヤと、前記ラチェットギヤの回転軸と平行な第１回動軸回りに回動し、前記シャッターカーテンが閉じられる閉方向の前記ラチェットギヤの回転を許容する一方、その逆の開方向の回転を禁止するように前記ラチェットギヤに係止して、前記シャッターカーテンをロックするラチェットレバーと、そのロックを解除操作するためのロック解除操作部とを備えたシャッター用ロック装置において、
前記請求項１乃至３の何れか１の請求項に記載のラチェット摺接部材を前記ラチェットレバーに支持して設けて、前記開方向に回転する前記ラチェットギヤと前記ラチェット摺接部材との摩擦によって、前記ラチェットレバーを前記ラチェットギヤに係止可能なラチェット有効位置に付勢する正の付勢力を発生させると共に、前記閉方向に回転する前記ラチェットギヤと前記ラチェット摺接部材との摩擦によって、前記ラチェットレバーを前記ラチェットギヤに係止不能な前記ラチェット無効位置に付勢する負の付勢力を発生させるように構成し、
前記ロック解除操作部の操作により、前記第１回動軸と平行な第２回動軸回りの待機位置からロック解除位置へと回動して、前記ラチェットレバーを前記ラチェット有効位置から前記ラチェット無効位置へと移動すると共に、そのラチェットレバーが受ける前記正の付勢力を、前記第２回転軸の回動半径方向の先端面で受け止めて前記ラチェットレバーと共に前記第１と第２の回動軸の間で突っ張り状態になり、前記ラチェットレバーを前記ラチェット無効位置に保持可能な解除保持レバーと、
前記解除保持レバーを前記待機位置に付勢すると共に、前記突っ張り状態の前記ラチェットレバーが前記負の付勢力を受けて前記解除保持レバーから離間することを許容する待機位置付勢手段とを備えたことを特徴とするシャッター用ロック装置。
【請求項５】
前記巻取シャフトは、内側を支持シャフトに回転可能に支持され、
前記ラチェットギヤは、前記支持シャフトが挿通可能であり、前記ラチェットレバーと共にハウジングに収容されると共に、前記ハウジングの一端面には、前記ラチェットレバーを回転可能に支持するカバーが備えられ、
前記カバーに、前記支持シャフトが貫通したシャフト挿通孔と、前記シャフト挿通孔の開口縁から前記ハウジングの外側に曲げ起こされかつ前記支持シャフトを間に挟んで対向した１対の固定片とを設け、前記支持シャフトと前記１対の固定片とに串刺し状態に貫通させたボルトをナット又は一方の前記固定片に形成された雌螺子孔に締め付けて前記支持シャフトに前記ハウジングを固定可能とし、
各前記固定片のうち前記カバーの本体部分との間の屈曲部における折り曲げ線方向の中間部に肉抜き孔を形成したことを特徴とする請求項４に記載のシャッター用ロック装置。
【請求項６】
ラチェットレバーに支持されてラチェットギヤの側面に摺接可能に押し付けられ、一方向に回転する前記ラチェットギヤとの摩擦によって前記ラチェットレバーを前記ラチェットギヤに係止可能なラチェット有効位置に付勢すると共に、他方向に回転する前記ラチェットギヤとの摩擦によって前記ラチェットレバーを前記ラチェットギヤに係止不能なラチェット無効位置に付勢するための板金製のラチェット摺接部材の製造方法において、
前記ラチェットレバーのうち前記ラチェットギヤ側を向いた外縁部に宛われる中央板部と、
前記中央板部の両側部から突出して間に前記ラチェットギヤを挟持可能な１対の弾性対向片と、
前記１対の弾性対向片における互いに対向する位置から互いに接近する側に突出し、先端部が前記ラチェットギヤに当接する１対の摺接突部と、
前記１対の弾性対向片における互いに対向する位置に設けられて、前記摺接突部の先端部に向かうに従って徐々に互いに接近するように傾斜した１対のガイド傾斜部とを備えた構造としておき、
前記中央板部と前記１対の弾性対向片とを同一面に連続させた状態に板金から打ち抜いた後、その打ち抜き工程で前記１対の弾性対向片の外縁部に発生し得るバリが、互いに反対向きに突出した状態になるように前記１対の摺接突部を前記中央板部から曲げ起こすことを特徴とするラチェット摺接部材の製造方法。
【発明の詳細な説明】
【技術分野】
【０００１】
本発明は、ラチェットレバーに支持されてラチェットギヤの側面に摺接可能に押し付けられ、一方向に回転するラチェットギヤとの摩擦によってラチェットレバーをラチェットギヤに係止可能なラチェット有効位置に付勢すると共に、他方向に回転するラチェットギヤとの摩擦によってラチェットレバーをラチェットギヤに係止不能なラチェット無効位置に付勢するための板金製のラチェット摺接部材及びそのラチェット摺接部材を備えたシャッター用ロック装置に関する。
【背景技術】
【０００２】
図１２には、従来のこの種のラチェット摺接部材５が示されている。このラチェット摺接部材５は、ラチェットギヤ８を挟持可能な第１及び第２の弾性対向片１，２を備えている。図１３に示すように、第１弾性対向片１は、取付ベース板３の一外縁部の中央から突出している。一方、第２弾性対向片２は、１対の脚部２Ｂ，２Ｂを備えたアーチ構造部をなし、それら脚部２Ｂ，２Ｂの先端が１対の中央板部４Ａ，４Ａを介して取付ベース板３の一外縁部における両端部に接続されている。そして、取付ベース板３と中央板部４Ａと第２弾性対向片２とがクランク形状になるように屈曲している。また、第１及び第２の弾性対向片１，２からはラチェットギヤ８に向かって１対の摺接突部１Ａ，２Ａが突出し、これら摺接突部１Ａ，２Ａの先端がラチェットギヤ８に摺接するようになっている（特許文献１参照）。
【先行技術文献】
【特許文献】
【０００３】
【特許文献１】特開２０１０−２４２２９２号公報（段落［００４５］，［００４６］，図６〜図８参照）
【発明の概要】
【発明が解決しようとする課題】
【０００４】
しかしながら、上記した従来のラチェット摺接部材５では、ラチェットレバー９の回動半径方向で１対の摺接突部１Ａ，２Ａがずれた配置となっているため、それら１対の摺接突部１Ａ，２Ａの間にラチェットギヤ８を押し込むことができなかった。このため、第１及び第２の弾性対向片１，２を予め押し広げた状態に保持して、そこにラチェットギヤ８を挿入する必要があり、組み付けの作業性が悪かった。また、上記したラチェット摺接部材５では、第１及び第２の弾性対向片１，２の何れか一方がプレスの打ち抜き方向の前側を向きく一方、他方がプレスの打ち抜き方向の後側を向きく構成になっているので、プレスによるバリが第１及び第２の弾性対向片１，２の何れか一方からラチェットギヤ８に向かって突出することになり、バリとラチェットギヤ８との摺接異音が発生し得た。
【０００５】
本発明は、上記事情に鑑みてなされたもので、組付の作業性に優れかつバリとラチェットギヤとの摺接異音の発生を防ぐことが可能なラチェット摺接部材及びシャッター用ロック装置の提供を目的とする。
【課題を解決するための手段】
【０００６】
上記目的を達成するためになされた請求項１の発明に係るラチェット摺接部材は、ラチェットレバーに支持されてラチェットギヤの側面に摺接可能に押し付けられ、一方向に回転するラチェットギヤとの摩擦によってラチェットレバーをラチェットギヤに係止可能なラチェット有効位置に付勢すると共に、他方向に回転するラチェットギヤとの摩擦によってラチェットレバーをラチェットギヤに係止不能なラチェット無効位置に付勢するための板金製のラチェット摺接部材であって、ラチェットレバーのうちラチェットギヤ側を向いた外縁部に宛われる中央板部と、中央板部の両側部から曲げ起こされて対向配置され、間にラチェットギヤを挟持可能な１対の弾性対向片と、１対の弾性対向片における互いに対向する位置から互いに接近する側に突出し、先端部がラチェットギヤに当接する１対の摺接突部と、１対の弾性対向片における互いに対向する位置に設けられて、摺接突部の先端部に向かうに従って徐々に互いに接近するように傾斜した１対のガイド傾斜部とを備えたところに特徴を有する。
【０００７】
請求項２の発明は、請求項１に記載のラチェット摺接部材において、ガイド傾斜部は、各摺接突部の先端部に対して中央板部と弾性対向片との間の折り曲げ線の方向の両側に配置されたところに特徴を有する。
【０００８】
請求項３の発明は、請求項２に記載のラチェット摺接部材において、一方の弾性対向片を、中央板部との間の折り曲げ線の方向に１対の脚部を備えたアーチ構造とし、ラチェット摺接部材を構成する板金のうち１対の脚部に挟まれた部分と中央板部の中間部とに亘る部分を、他方の弾性対向片の基端部から面一になって延びた取付片とし、その取付片の先端に貫通形成した取付孔をラチェットレバーの回動支軸シャフトに挿通して取り付け可能としたところに特徴を有する。
【０００９】
請求項４の発明に係るシャッター用ロック装置は、シャッターカーテンの巻取シャフトと共に回転するラチェットギヤと、ラチェットギヤの回転軸と平行な第１回動軸回りに回動し、シャッターカーテンが閉じられる閉方向のラチェットギヤの回転を許容する一方、その逆の開方向の回転を禁止するようにラチェットギヤに係止して、シャッターカーテンをロックするラチェットレバーと、そのロックを解除操作するためのロック解除操作部とを備えたシャッター用ロック装置において、請求項１乃至３の何れか１の請求項に記載のラチェット摺接部材をラチェットレバーに支持して設けて、開方向に回転するラチェットギヤとラチェット摺接部材との摩擦によって、ラチェットレバーをラチェットギヤに係止可能なラチェット有効位置に付勢する正の付勢力を発生させると共に、閉方向に回転するラチェットギヤとラチェット摺接部材との摩擦によって、ラチェットレバーをラチェットギヤに係止不能なラチェット無効位置に付勢する負の付勢力を発生させるように構成し、ロック解除操作部の操作により、第１回動軸と平行な第２回動軸回りの待機位置からロック解除位置へと回動して、ラチェットレバーをラチェット有効位置からラチェット無効位置へと移動すると共に、そのラチェットレバーが受ける正の付勢力を、第２回転軸の回動半径方向の先端面で受け止めてラチェットレバーと共に第１と第２の回動軸の間で突っ張り状態になり、ラチェットレバーをラチェット無効位置に保持可能な解除保持レバーと、解除保持レバーを待機位置に付勢すると共に、突っ張り状態のラチェットレバーが負の付勢力を受けて解除保持レバーから離間することを許容する待機位置付勢手段とを備えたところに特徴を有する。
【００１０】
請求項５の発明は、請求項４に記載のシャッター用ロック装置において、巻取シャフトは、内側を支持シャフトに回転可能に支持され、ラチェットギヤは、支持シャフトが挿通可能であり、ラチェットレバーと共にハウジングに収容されると共に、ハウジングの一端面には、ラチェットレバーを回転可能に支持するカバーが備えられ、カバーに、支持シャフトが貫通したシャフト挿通孔と、シャフト挿通孔の開口縁からハウジングの外側に曲げ起こされかつ支持シャフトを間に挟んで対向した１対の固定片とを設け、支持シャフトと１対の固定片とに串刺し状態に貫通させたボルトをナット又は一方の固定片に形成された雌螺子孔に締め付けて支持シャフトにハウジングを固定可能とし、各固定片のうちカバーの本体部分との間の屈曲部における折り曲げ線方向の中間部に肉抜き孔を形成したところに特徴を有する。
【００１１】
請求項６の発明に係るラチェット摺接部材の製造方法は、ラチェットレバーに支持されてラチェットギヤの側面に摺接可能に押し付けられ、一方向に回転するラチェットギヤとの摩擦によってラチェットレバーをラチェットギヤに係止可能なラチェット有効位置に付勢すると共に、他方向に回転するラチェットギヤとの摩擦によってラチェットレバーをラチェットギヤに係止不能なラチェット無効位置に付勢するための板金製のラチェット摺接部材の製造方法において、ラチェットレバーのうちラチェットギヤ側を向いた外縁部に宛われる中央板部と、中央板部の両側部から突出して間にラチェットギヤを挟持可能な１対の弾性対向片と、１対の弾性対向片における互いに対向する位置から互いに接近する側に突出し、先端部がラチェットギヤに当接する１対の摺接突部と、１対の弾性対向片における互いに対向する位置に設けられて、摺接突部の先端部に向かうに従って徐々に互いに接近するように傾斜した１対のガイド傾斜部とを備えた構造としておき、中央板部と１対の弾性対向片とを同一面に連続させた状態に板金から打ち抜いた後、その打ち抜き工程で１対の弾性対向片の外縁部に発生し得るバリが、互いに反対向きに突出した状態になるように１対の摺接突部を中央板部から曲げ起こすところに特徴を有する。
【発明の効果】
【００１２】
［請求項１の発明］
請求項１のラチェット摺接部材は、ラチェットレバーの外縁部に宛われる中央板部の両側から１対の弾性対向片を曲げ起こして対向配置した構造になっているので、１対の弾性対向片のうちバリが突出していない側の面を互いに対向させることができ、バリとラチェットギヤとの摺接異音の発生を防ぐことができる。また、１対の弾性対向片には、それらに突出形成された１対の摺接突部の先端部に向かうに従って徐々に互いに接近するように傾斜した１対のガイド傾斜部が備えられているので、１対のガイド傾斜部の間にラチェットギヤを押し込んで１対の弾性対向片を押し広げることができる。即ち、従来のように弾性対向片同士の間を予め押し広げた状態に保持しておく必要がなくなり、組み付け作業を効率よく行うことができる。
【００１３】
なお、このラチェット摺接部材をラチェットレバーに取り付けると、ラチェットギヤが一方向に回転したときに、そのラチェットギヤとラチェット摺接部材との摺接によって、ラチェットレバーがラチェットギヤに係止不能なラチェット無効位置に付勢される。これにより、ラチェットギヤを一方向に回転している間は、ラチェットレバーがラチェットギヤに接触しなくなり、任意の回転位置までラチェットギヤを静かに一方向に回転させることができる。一方、ラチェットギヤを他方向に回転させると、そのラチェットギヤとラチェット摺接部材との摺接によって、ラチェットレバーがラチェットギヤに係止可能なラチェット有効位置に付勢される。これにより、任意の位置でラチェットギヤをロックすることができる。
【００１４】
［請求項２の発明］
請求項２のラチェット摺接部材の構成によれば、中央板部と弾性対向片との間の折り曲げ線の方向に沿った一方側と他方側の何れの任意の方向から１対のガイド傾斜部の間にラチェットギヤを押し込むことができる。
【００１５】
［請求項３の発明］
請求項３のラチェット摺接部材の構成によれば、ラチェットレバーの回動支軸シャフトにラチェット摺接部材の取付片における取付孔に挿通すると、ラチェットレバーの外縁部に中央板部が宛われた状態になり、ラチェット摺接部材がラチェットレバーに一体回転可能に取り付けられる。
【００１６】
［請求項４の発明］
請求項４のシャッター用ロック装置では、シャッターカーテンが閉操作されてラチェットギヤが閉方向のトルクを受けると、そのラチェットギヤとラチェット摺接部材との摩擦によって、ラチェットレバーがラチェットギヤに係止不能なラチェット無効位置に付勢される。これにより、シャッターカーテンを閉操作している間は、ラチェットレバーがラチェットギヤに係止することなくなり、任意の位置までシャッターカーテンを閉めることができる。また、シャッターカーテンを閉操作している間は、ラチェットレバーとラチェットギヤとが接触しないので、静粛性に優れたものとすることができる。
【００１７】
一方、シャッターカーテンの閉操作を止め、巻取シャフトがシャッターカーテンを巻き取る方向に付勢又は操作されてラチェットギヤが開方向のトルクを受けると、そのラチェットギヤとラチェット摺接部材との摩擦によって、ラチェットレバーがラチェットギヤに係止可能なラチェット有効位置に付勢される。これにより、シャッターカーテンを閉操作している間は、ラチェットレバーがラチェットギヤに係止することがなくなり、任意の位置までシャッターカーテンを閉めることができ、その閉操作を止めると、ラチェットレバーがラチェットギヤに係止し、任意の位置でシャッターカーテンを開かないようにロックすることができる。
【００１８】
そのロックを解除してシャッターカーテンを開く場合には、ロック解除操作部の操作すればよい。すると、ロック解除操作部を一度操作するとその過程で、解除保持レバーが、待機位置からロック解除位置へと回動して、ラチェットレバーをラチェット有効位置からラチェット無効位置へと移動させる。
【００１９】
ここで、ラチェットレバーは、解除保持レバーによってラチェット無効位置まで移動されたときには、その解除保持レバーとの干渉領域から外れた最端のラチェット無効位置まで移動する。そして、シャッターカーテンが開操作されると、それに伴って開方向に開方向に回動するラチェットギヤとラチェット摺接部材との摩擦により、ラチェットレバーが、最端のラチェット無効位置からラチェット有効位置寄り中間のラチェット無効位置へと移動する。すると、そのラチェットレバーが、解除保持レバーの回動半径方向の先端面に当接し、第１と第２の回動軸の間でラチェットレバーと解除保持レバーとが突っ張り状態になる。これにより、ラチェットレバーが中間のラチェット無効位置に保持され、ロック解除操作部の操作を止めてもロック解除状態が維持される。
【００２０】
このように本発明によれば、ロック解除操作部を一度操作するだけでロック解除状態が維持されるので、ロック解除操作部によるロック解除操作を行い続ける必要がなくなる。また、巻取シャフトがシャッターカーテンを巻き取る方向に付勢されている場合には、ロック解除操作を一度行いさえすれば、巻取シャフトに付与された付勢力のみで、シャッターカーテンを開くことができる。また、ロック解除状態を解消するには、シャッターカーテンを閉操作すればよい。すると、そのシャッターカーテンの閉操作に伴って閉方向に回動するラチェットギヤとラチェット摺接部材との摩擦により、ラチェットレバーが中間のラチェット無効位置から最端のラチェット無効位置へと移動し、解除保持レバーから離間する。そして、待機位置付勢手段の付勢により解除保持レバーが待機位置に戻る。従って、本発明のシャッター用ロック装置によれば、任意の位置までシャッターカーテンを閉めて開かないようにロックすることが可能であると共に、そのロックを解除してシャッターカーテンの開操作を行う一連の操作における操作性を向上させることができる。
【００２１】
［請求項５の発明］
請求項５のシャッター用ロック装置は、ラチェットギヤとラチェットレバーを収容したハウジングの一端面に、ラチェットレバーを回転可能に支持するカバーを備えている。そして、シャッターカーテンの巻取シャフトを回転可能に支持する支持シャフトが、カバーのシャフト挿通孔に挿通され、カバーのうちシャフト挿通孔の開口縁から曲げ起こされた１対の固定片と支持シャフトとに串刺し状態に貫通させたボルトをナット又は一方の固定片に形成された雌螺子孔に締め付けることで支持シャフトにハウジングが固定される。ここで、前記したボルトとナット又は雌螺子孔との締め付けにより固定片は変形し得るが、本発明では、各固定片のうちカバーの本体部分との間の屈曲部における折り曲げ線方向の中間部に肉抜き孔を形成したので、固定片と共にカバーの本体部分まで変形することが防がれる。これにより、カバーによるラチェットレバーの支持が安定する。
【００２２】
［請求項６の発明］
請求項６の製造方法で製造したラチェット摺接部材は、１対の弾性対向片のうちバリが突出していない側の面が互いに対向する構造となるので、バリとラチェットギヤとの摺接異音の発生を防ぐことができる。また、１対の弾性対向片には、それらに突出形成された１対の摺接突部の先端部に向かうに従って徐々に互いに接近するように傾斜した１対のガイド傾斜部が形成されるので、１対のガイド傾斜部の間にラチェットギヤを押し込んで１対の弾性対向片を押し広げることができる。即ち、従来のように弾性対向片同士の間を予め押し広げた状態に保持しておく必要がなくなり、組み付け作業を効率よく行うことができる。
【図面の簡単な説明】
【００２３】
【図１】本発明の一実施形態に係るシャッター装置の斜視図
【図２】シャッター装置の斜視図
【図３】シャッター装置の分解斜視図
【図４】シャッター用ロック装置の後側斜視図
【図５】シャッター用ロック装置の前側斜視図
【図６】シャッター用ロック装置の蓋体を外した状態の斜視図
【図７】シャッターカーテンを閉操作中のシャッター用ロック装置の側面図
【図８】ラチェットレバー、ラチェットギヤ及びラチェット摺接部材の斜視図
【図９】ラチェット摺接部材の斜視図
【図１０】ラチェット摺接部材の展開部材の平面図
【図１１】シャッターカーテンを閉操作中のシャッター用ロック装置の側面図
【図１２】従来のシャッター用ロック装置の斜視図
【図１３】従来のラチェット摺接部材の斜視図
【発明を実施するための形態】
【００２４】
以下、本発明の一実施形態を図１〜図１１に基づいて説明する。図１に示した本実施形態に係るシャッター装置１０は、例えば、住宅の窓（図示せず）の上縁部に取り付けられるものであって、シャッターカーテン１５を巻き取るための巻取シャフト１２を支持シャフト１１にて回転可能に支持した構造になっている。
【００２５】
図３に示すように、巻取シャフト１２は、円筒ドラム１２Ｄの両端部（図３には、円筒ドラム１２Ｄの一端部のみが示されている）の内側に円盤１３を嵌合してなる。円盤１３の周面の所定箇所には螺子孔１３Ａが形成され、その螺子孔１３Ａに対応させて円筒ドラム１２Ｄには螺子挿通孔１２Ａが貫通形成されている。そして、螺子挿通孔１２Ａに挿通した螺子Ｎ１（図１参照）を円盤１３の螺子孔１３Ａに締め付けて、円筒ドラム１２Ｄと円盤１３とが一体回転可能に固定されている。
【００２６】
図３に示すように、円盤１３の軸中心にはセンター孔１３Ｃが貫通形成され、円盤１３の端面のうちセンター孔１３Ｃの周りを均等分した複数位置（例えば、８箇所）には、複数の螺子孔１３Ｂが形成されている。また、巻取シャフト１２の一端側の円盤１３には、結合リング１４が固定されている。その結合リング１４は、円板状のリング本体１４Ｈの内周縁から複数の連結突片１４Ａを直角曲して張り出した構造になっている。また、リング本体１４Ｈには、周方向で均等分した複数位置（例えば、４箇所）に複数の取付孔１４Ｂが形成されている。そして、リング本体１４Ｈを円盤１３の端面に重ねかつ連結突片１４Ａを円盤１３と反対側に突出させた状態にして、取付孔１４Ｂを通した螺子を円盤１３の螺子孔１３Ｂに締め付けて結合リング１４が円盤１３に一体回転可能に固定されている。
【００２７】
支持シャフト１１は、円筒パイプ構造をなし、巻取シャフト１２の両端のセンター孔１３Ｃ（詳細には、円盤１３のセンター孔１３Ｃ）を貫通して巻取シャフト１２の両端面より両横方向に延びている。そして、支持シャフト１１の両端部が図示しない取付ベースに回転不能にそれぞれ固定され、それら取付ベースが住居の壁面に固定されている。また、支持シャフト１１の外周面と巻取シャフト１２におけるセンター孔１３Ｃの内周面との間には、軸受１１Ｂ（例えば、ベアリング、摺動メタル）が嵌合されている。
【００２８】
また、巻取シャフト１２の内部には、図示しないトーションコイルバネが支持シャフト１１に巻回して設けられており、このトーションコイルバネは一端が円盤１３の螺子孔１３Ｂに図示しないネジを介して固定され、他端が支持シャフト１１にネジ等で固定されている。これにより、巻取シャフト１２は、シャッターカーテン１５を巻き取る方向に付勢されている。
【００２９】
図１に示すように、シャッターカーテン１５は、複数の帯状金属板を連結してなる公知なキャタピラ構造になっている。また、シャッターカーテン１５の横幅は、巻取シャフト１２の軸長より大きくなっている。そして、シャッターカーテン１５の巻回長方向の一端部を巻取シャフト１２の外周面に宛がい、巻取シャフト１２の両端面からシャッターカーテン１５が両横方向に張り出した状態にして、シャッターカーテン１５が巻取シャフト１２に螺子止めされている。具体的には、前記した円盤１３の周面の螺子孔１３Ａに締め付けられる螺子Ｎ１を、シャッターカーテン１５の一端部に備えた螺子挿通孔（図示せず）にも挿通して、円筒ドラム１２Ｄとシャッターカーテン１５とが円盤１３の螺子孔１３Ａに共締めされている。
【００３０】
また、シャッター装置１０が取り付けられる住宅の窓の両側縁部には、図示しないシャッターレールがそれぞれ備えられている。そして、シャッターカーテン１５のうち巻取シャフト１２から下方に延びた部分の両側部が、それらシャッターレールに係合した状態に維持され、シャッターカーテン１５の下端部を下方に手動で引くことにより、巻取シャフト１２の回転を伴いながらシャッターカーテン１５が巻取シャフト１２から引き出される。
【００３１】
シャッター装置１０には、シャッターカーテン１５を窓の上下方向における任意の位置まで閉めて、そこから上方に開かないようにロックするためのシャッター用ロック装置２０が備えられている。
【００３２】
図３に示すように、シャッター用ロック装置２０は、偏平円盤状のハウジング２１を備えている。図４に示すように、ハウジング２１の軸中心には、シャフト挿通孔２１Ａが貫通形成され、その内側に支持シャフト１１が遊嵌状態に挿通されている。
【００３３】
ハウジング２１は、支持シャフト１１と直交した方向を向いた前側端面２１Ｆに前面蓋２３を螺子で固定した状態に備える一方、その前側端面２１Ｆと反対側の後側端面２１Ｒに後面蓋６０（本発明の「カバー」に相当する）を螺子で固定した状態に備えている。そして、前側端面２１Ｆが巻取シャフト１２の一端面に対向配置されている。また、シャッター用ロック装置２０全体の外径でもあるハウジング２１の外径は、巻取シャフト１２の外径より若干小さくなっている。そして、シャッターカーテン１５が巻取シャフト１２に巻き取られて円筒状になった場合には、その円筒状のシャッターカーテン１５の内側に配置される。
【００３４】
後面蓋６０のうちシャフト挿通孔２１Ａを間に挟んだ開口縁の対向位置からは１対の固定片２２，２２が後方に曲げ起こされている。これら両固定片２２，２２は、先細り形状になっている。また、各固定片２２，２２のうち後面蓋６０の本体部分との間の屈曲部における折り曲げ線方向の中間部には、それぞれ肉抜き孔２２Ｃが形成されている。さらに、一方の固定片２２の先端寄り位置には、ボルト挿通孔２２Ｂが貫通成形される一方、他方の固定片２２の先端寄り位置にはボルト挿通孔２２Ｂの同軸線上に雌螺子孔２２Ａが貫通形成されている。そして、支持シャフト１１を径方向で貫通した取付孔（図示せず）とボルト挿通孔２２Ｂ及び雌螺子孔２２Ａとを同一直線上に配置した状態で、ボルト挿通孔２２Ｂ側から挿通したボルトＮ３を雌螺子孔２２Ａに締め付けて、ハウジング２１が支持シャフト１１に固定されている。なお、ボルトＮ３の締め付けにより固定片２２，２２は変形し得るが、本実施形態では、各固定片２２のうち後面蓋６０の本体部分との間の屈曲部に肉抜き孔を形成したことで、固定片２２と共に後面蓋６０の本体部分まで変形することが防がれる。これにより、後述する後面蓋６０によるラチェットレバー３０（図６参照）の支持が安定する。
【００３５】
図５に示すように、ハウジング２１の前面蓋２３は、中心部にシャフト挿通孔２１Ａより径が大きな前面孔２３Ａを有している。そして、その前面孔２３Ａを介して次述するラチェットギヤ２６に備えた複数の突片連結孔２６Ｂが巻取シャフト１２の一端面に臨んでいる。
【００３６】
図６には、ハウジング２１の本体から前面蓋２３を外した状態が示されている。同図に示すように、ハウジング２１の内部にはラチェットギヤ２６がシャフト挿通孔２１Ａ（図４参照）と同軸上に配置されている。ラチェットギヤ２６は円板状をなし、中心にシャフト挿通孔２６Ａを有している。また、ラチェットギヤ２６のうちシャフト挿通孔２６Ａの周りには、長方形の複数の突片連結孔２６Ｂが均等配置されている。そして、巻取シャフト１２の一端部に備えた結合リング１４における複数の連結突片１４Ａが、前面蓋２３の前面孔２３Ａを介して、ラチェットギヤ２６の複数の突片連結孔２６Ｂに差し込まれ、これによりラチェットギヤ２６が巻取シャフト１２と一体回転可能に連結されている。以下、シャッターカーテン１５を閉じるときに巻取シャフト１２と共にラチェットギヤ２６が回転する方向を「閉方向」といい、シャッターカーテン１５を開くときに巻取シャフト１２と共にラチェットギヤ２６が回転する方向を「開方向」という。
【００３７】
ラチェットギヤ２６の外周面には、複数の係止歯２６Ｔが突出している。これら各係止歯２６Ｔは、ラチェットギヤ２６を開方向へ回動したときに回動方向の前側に向かって突出するように傾斜している。より詳細には、係止歯２６Ｔのうちラチェットギヤ２６を開方向へ回動したときに前側を向く歯面は、後述するラチェットレバー３０の回動軸である第１回動支持シャフト３１を中心とした円弧形状の係止面２６Ｋになっている。一方、係止歯２６Ｔのうちラチェットギヤ２６を開方向へ回動したときに後側を向く歯面は、係止歯２６Ｔの先端に向かうに従って、隣の係止歯２６Ｔから離れるように傾斜した摺接面２６Ｓになっている。なお、ラチェットギヤ２６のうち係止歯２６Ｔを含む外縁部は、前面蓋２３によって覆われている（図５参照）。
【００３８】
ラチェットギヤ２６のシャフト挿通孔２６Ａにおける縁部には、複数の係止凹部２６Ｃが形成されている。そして、それら係止凹部２６Ｃに、連結スリーブ２４の先端に備えた複数の円弧突壁２４Ａが係合している。その連結スリーブ２４は、ハウジング２１内に配置される長さをなし、その軸方向の中間部には、図示しないリング状の連動ギヤが一体形成されている。なお、その連動ギヤは、ラチェットギヤ２６とハウジング２１の後端壁との間に配置されている。
【００３９】
連結スリーブ２４の内側には、センターパイプ２４Ｐが備えられ、そのセンターパイプ２４Ｐはハウジング２１の後端壁に一体形成されている。そして、センターパイプ２４Ｐの内側が前記したシャフト挿通孔２１Ａになっていて、そこに支持シャフト１１（図２参照）が挿通されている。
【００４０】
図２に示すように、ハウジング２１の後側端面２１Ｒには、回転式ダンパー２９が取り付けられている。そして、ハウジング２１に形成された貫通孔２１Ｂ（図４参照）を通して回転式ダンパー２９の図示しない回転軸に固定されたギヤが連動ギヤに噛合している。そして、この回転式ダンパー２９が、ラチェットギヤ２６の回転速度の増加に伴って増加する回転抵抗をラチェットギヤ２６に付与して、シャッターカーテン１５の急激な上昇を規制している。
【００４１】
図５に示すように、ハウジング２１の側壁２１Ｓとラチェットギヤ２６との間には、第１回動支持シャフト３１と第２回動支持シャフト４１とが設けられている。第１回動支持シャフト３１は、両端部をハウジング２１の前面蓋２３と後面蓋６０とに支持され、第２回動支持シャフト４１は、一端部をハウジング２１の前面蓋２３に支持されると共に、他端部をハウジング２１の本体部に支持されている。そして、第１回動支持シャフト３１及び第２回動支持シャフト４１は、ラチェットギヤ２６の回転軸と平行に延び、例えば、ラチェットギヤ２６の回転中心周りに４５度程度、離れた位置に配置されている。
【００４２】
本実施形態では、第１回動支持シャフト３１の中心軸が、本発明に係る「第１回動軸」に相当し、第２回動支持シャフト４１の中心軸が、本発明に係る「第２回動軸」に相当する。そして、本発明に係るラチェットレバー３０が、第１回動支持シャフト３１を中心に回動可能に設けられる一方、本発明に係る解除保持レバー４０が、第２回動支持シャフト４１を中心に回動可能に設けられている。
【００４３】
ラチェットレバー３０は、第１回動支持シャフト３１から第２回動支持シャフト４１側に向かって延びている。また、ラチェットレバー３０の基端部には、第２回動支持シャフト４１から離れる側に突出した基端突部３５が備えられている。
【００４４】
ラチェットレバー３０のうち第２回動支持シャフト４１側の先端寄り位置からは、ラチェットギヤ２６に向かって係止爪３２が突出している。係止爪３２は、隣り合った係止歯２６Ｔ，２６Ｔの間の凹部形状に対応した略三角形になっていて、ラチェットレバー３０の回動半径に対して傾斜した斜面３２Ｓを第１回動支持シャフト３１側に備える一方、第１回動支持シャフト３１を中心とした円弧形状の係止面３２Ｋを第１回動支持シャフト３１から離れた側に備えている。そして、係止爪３２が係止歯２６Ｔに押し付けられるように付勢された状態で、ラチェットギヤ２６が開方向の回転トルクを受けたときに、係止爪３２の係止面３２Ｋが何れかの係止歯２６Ｔの係止面２６Ｋに当接してラチェットレバー３０がラチェットギヤ２６に係止し、ラチェットギヤ２６の回転を禁止する。これにより、シャッターカーテン１５が開かないようにロックされる。また、図７に示すように、係止爪３２が係止歯２６Ｔから離れた状態になると、ラチェットレバー３０はラチェットギヤ２６に係止できなくなり、ラチェットギヤ２６の回転が許容される。
【００４５】
ラチェットレバー３０を、ラチェットギヤ２６に係止可能なラチェット有効位置に向けて付勢するために、ラチェットレバー３０には、本発明に係るラチェット摺接部材８０が一体回動可能に固定されている。ラチェット摺接部材８０は、図８（Ｂ）に示すように、ラチェットレバー３０のうちラチェットギヤ２６側を向いた外縁部に宛われる中央板部８３と、中央板部８３の両側から曲げ起こされて対向配置され、間にラチェットギヤ２６を挟持している第１及び第２の弾性対向片８１，８２と、第１の弾性対向片８１から延設された取付片８４とを備えている。また、図９（Ａ）に示すように、第１と第２の弾性対向片８１，８２のうち互いに対向する位置には、互いに接近する側に隆起した１対の摺接突部９１，９２が設けられている。
【００４６】
詳細には、ラチェット摺接部材８０は、板金をプレスで打ち抜きかつ折り曲げてなり、その折り曲げられる前の状態では、図１０に示された略長円形の展開部材８５になっている。展開部材８５には、長軸方向の中央部から一端側に亘ってＵ字形スリット８６が形成されている。そのＵ字形スリット８６の湾曲部分は展開部材８５の長軸方向の一端部に配置され、Ｕ字形スリット８６の内側領域Ｒ４が片持ち梁状に切り離されて前記した取付片８４（図９（Ａ）参照）になる。また、Ｕ字形スリット８６の外側のＵ字形状部分における１対の脚部のうち先端寄り位置の第１の折り曲げ線Ｌ１とそれより基端側にずれた第２の折り曲げ線Ｌ２との間の矩形領域Ｒ３が前記した中央板部８３（図９（Ａ）参照）になる。そして、矩形領域Ｒ３の両側の領域Ｒ１，Ｒ２が対向するように、第１と第２の折り曲げ線Ｌ１，Ｌ２で展開部材８５が直角曲げされて、第１と第２の弾性対向片８１，８２（図９（Ａ）参照）が形成される。また、取付片８４の先端部には円形の取付孔８７が貫通形成されると共に、取付片８４の基端部には取付片８４の幅方向に延びた上長形の抜き孔８８が形成されている。
【００４７】
また、展開部材８５が第１と第２の折り曲げ線Ｌ１，Ｌ２で展開部材８５が折り曲げられる前に、展開部材８５のうち第１の弾性対向片８１になる領域Ｒ１における矩形領域Ｒ３から離れた端部中央には、台形状の摺接突部９１がプレス成形されると共に、第２の弾性対向片８２になる領域Ｒ２における矩形領域Ｒ３から離れた端部中央にも、台形状の摺接突部９２がプレス成形される。ここで、展開部材８５が、板金の母材から図１０の紙面における裏側から表側に向かって打ち抜かれたすると、その打ち抜きによるバリが展開部材８５の縁部から図１０の紙面における裏側に向かって突出した状態になる。これに対し、摺接突部９１，９２は、共にバリと反対側に突出するように隆起している。
【００４８】
また、図９（Ｂ）に示すように、一方の摺接突部９２は、第２の弾性対向片８２における湾曲部分の中央全体を第２の弾性対向片８２の本体部分から押し出して先端面９２Ａとし、その両側部分を傾斜させてガイド傾斜部９２Ｂ，９２Ｂとした構造になっている。また、図９（Ａ）に示すように、他方の摺接突部９１は、一方の摺接突部９２の先端面９２Ａと対向する領域を含む範囲で、第１の弾性対向片８１の一部を本体部分から押し出して先端面９１Ａとし、その先端面９１Ａの縁部と第１の弾性対向片８１の本体部分との間を傾斜させてガイド傾斜部９１Ｂとした構造になっている。
【００４９】
ラチェット摺接部材８０は、図８（Ｂ）に示すように、ラチェットレバー３０の第１回動支持シャフト３１における大径部分を取付孔８７に挿通して、取付片８４をラチェットレバー３０の側面に当接させかつ、中央板部８３がラチェットレバー３０におけるラチェットギヤ２６側の外縁部に宛がわれた状態に組み付けられている。これにより、ラチェット摺接部材８０とラチェットレバー３０とが一体回動可能な状態になっている。また、ラチェット摺接部材８０の第１及び第２の弾性対向片８１，８２の間にラチェットギヤ２６が押し込まれることで、第１及び第２の弾性対向片８１，８２のガイド傾斜部９１Ｂ，９２Ｂとラチェットギヤ２６とが摺接し、第１及び第２の弾性対向片８１，８２が押し広げられて１対の摺接突部９１，９２の間にラチェットギヤ２６が配置されている。
【００５０】
そして、ラチェットギヤ２６が開方向に回転したときに、ラチェット摺接部材８０とラチェットギヤ２６の側面との摩擦によってラチェットレバー３０がラチェット有効位置に付勢される。このとき、ラチェットレバー３０が受ける付勢力が、本発明に係る「正の付勢力」に相当する。また、ラチェットギヤ２６が閉方向に回転したときには、ラチェット摺接部材８０とラチェットギヤ２６の側面との摩擦によって、ラチェットレバー３０はラチェットギヤ２６に係止不能なラチェット無効位置に付勢される。このとき、ラチェットレバー３０が受ける付勢力が、本発明に係る「負の付勢力」に相当する。
【００５１】
図６に示すように、ラチェットレバー３０のうち係止爪３２より第２回動支持シャフト４１側に突出した先端位置には、ハウジング２１の後側端面２１Ｒ側に向けて略円柱状の回動干渉部３３が突出している。
【００５２】
解除保持レバー４０は、ラチェットギヤ２６より後側端面２１Ｒ側に配置され、図１１に示すように、第２回動支持シャフト４１から第１回動支持シャフト３１側に張り出した作用回動片４２とその第１回動支持シャフト３１と反対側に張り出した連結回動片４３とを備えたシーソー構造になっている。また、解除保持レバー４０とハウジング２１との間には、トーションコイルバネ４６（本発明の「待機位置付勢手段」に相当する）が設けられ、そのトーションコイルバネ４６の弾発力によって、解除保持レバー４０がその可動範囲のうち、作用回動片４２の先端部がラチェットギヤ２６の回動中心に最も接近した待機位置（図１１で示した位置）に付勢されている。
【００５３】
作用回動片４２の先端部の可動領域の一部と、回動干渉部３３の可動領域の一部とは重複している。ここで、作用回動片４２の先端部の可動領域と、回動干渉部３３の可動領域との重複部分を「干渉領域」と呼ぶと、解除保持レバー４０が待機位置（図１１で示した位置）に配置された状態で、作用回動片４２の先端部は、干渉領域よりラチェットギヤ２６の回転中心側に外れた位置に配置される。そして、解除保持レバー４０が回動可能範囲のうち待機位置と反対側のロック解除位置（図１１から時計回り方向に移動した位置）まで回動する間に、作用回動片４２の先端部における回動方向の前側を向いた跳上当接面４５が、回動干渉部３３をラチェットギヤ２６から離れる方向に押圧して、その回動干渉部３３が干渉領域の外に配置された最端のラチェット無効位置までラチェットレバー３０を回動させる。
【００５４】
作用回動片４２の先端には、作用回動片４２の回動半径方向を向き、中央が若干窪んだ先端突当面４４が備えられている。その先端突当面４４は、解除保持レバー４０がロック解除位置に位置した状態で干渉領域内に配置される。そして、ラチェットレバー３０が、開方向に回動するラチェットギヤ２６から回動干渉部３３を介して正の付勢力を受けることで、最端のラチェット無効位置からラチェット有効位置寄りの中間のラチェット無効位置へと移動したときに、先端突当面４４がラチェット摺接部材８０に当接し（図示せず）、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持される。
【００５５】
図２に示すように、ハウジング２１の後側端面２１Ｒには、連結回動片４３の可動領域と対向する部分に操作孔２１Ｗが形成されている。この操作孔２１Ｗは、支持シャフト１１に接離する方向に長い長方形になっている。また、ハウジング２１の後側端面２１Ｒのうち操作孔２１Ｗの一長辺に沿った開口側縁からは、支持突片５０が後方に突出し、その支持突片５０に中継レバー５１が傾動可能に支持されている。
【００５６】
中継レバー５１は、板金をクランク状に屈曲してなり、その屈曲部分より一端側の第１回動片５１Ａが支持突片５０に重ねられた状態でビス５１Ｊにて回動可能に取り付けられている。そして、第１回動片５１Ａの先端が操作孔２１Ｗの長手方向に往復動する。また、中継レバー５１のうち屈曲部分より他端側の第２回動片５１Ｂは、支持シャフト１１を避けるようにハウジング２１の後側端面２１Ｒにおける外縁側に配置され、その第２回動片５１Ｂの先端部には、ワイヤー５３が連結されている。そのワイヤー５３の先端は、シャッター装置１０が取り付けられた窓の室内に設けた図示しないロック解除操作部に連結されている。また、第２回動片５１Ｂのうち屈曲部分寄りの基端部には、フック５１Ｙが形成されている。これに対応させて、ハウジング２１の後側端面２１Ｒにもフック５１Ｘが形成され、これらフック５１Ｘ，５１Ｙの間に引張コイルバネ５２が架け渡されている。これにより、中継レバー５１は、第２回動片５１Ｂがハウジング２１の後側端面２１Ｒに接近する方向に付勢され、第１回動片５１Ａの先端部が、操作孔２１Ｗのうち支持シャフト１１から離れた側の端部に位置した原点位置に中継レバー５１が配置されている。そして、ロック解除操作部の操作により、第２回動片５１Ｂを後側端面２１Ｒから離す側にワイヤー５３が引っ張られると、第２回動片５１Ｂの先端部が支持シャフト１１側の端部に移動して、その過程で第１回動片５１Ａの先端部が解除保持レバー４０の連結回動片４３を押圧する。これにより、解除保持レバー４０が待機位置からロック解除位置へと回動する。
【００５７】
本実施形態のシャッター用ロック装置２０の構成に関する説明は以上である。次に、シャッター用ロック装置２０の作用効果について説明する。本実施形態のシャッター用ロック装置２０では、シャッターカーテン１５が閉操作されてラチェットギヤ２６が閉方向のトルクを受けると、そのラチェットギヤ２６とラチェット摺接部材８０との摺接の摩擦によって、ラチェット摺接部材８０と一体回動可能なラチェットレバー３０が、ラチェットギヤ２６に係止不能なラチェット無効位置に付勢される。これにより、図１１に示すように、シャッターカーテン１５を閉操作している間は、ラチェットレバー３０がラチェットギヤ２６から離間して係止することがなくなり、任意の位置までシャッターカーテン１５を閉めることができる。更に、シャッターカーテン１５を閉操作している間は、ラチェットレバー３０とラチェットギヤ２６とが接触しないので、静粛性に優れたものとすることができる。
【００５８】
一方、シャッターカーテン１５の閉操作を止めることに伴い、シャッターカーテン１５を巻き取る方向に付勢された巻取シャフト１２によりラチェットギヤ２６が開方向のトルクを受けると、そのラチェットギヤ２６とラチェット摺接部材８０との摺接の摩擦によって、ラチェットレバー３０がラチェットギヤ２６に係止可能なラチェット有効位置に付勢される。これにより、図６に示すように、ラチェットレバー３０がラチェットギヤ２６に係止し、任意の位置でシャッターカーテン１５を開かないようにロックすることができる。そのロックを解除してシャッターカーテン１５を開く場合には、室内にある図示しないロック解除操作部を引く。このとき、ロック解除操作部を一度操作するとその過程で、解除保持レバー４０が、待機位置（図１１に示した位置）からロック解除位置（図１１から時計回り方向に移動した位置）へと回動して、ラチェットレバー３０をラチェット有効位置からラチェット無効位置へと移動させる。これにより、シャッターカーテン１５を開くことができるようになる。
【００５９】
ここで、ラチェットレバー３０は、解除保持レバー４０によってラチェット無効位置まで移動されたときには、その解除保持レバー４０との干渉領域から外れた最端のラチェット無効位置まで移動する。そして、シャッターカーテン１５が開操作されると、それに伴って開方向に回動するラチェットギヤ２６とラチェット摺接部材８０との摩擦により、ラチェットレバー３０が、最端のラチェット無効位置からラチェット有効位置寄り中間のラチェット無効位置へと移動する。すると、そのラチェットレバー３０の回動干渉部３３が、ロック解除位置に配置されている解除保持レバー４０の先端突当面４４に当接し（図示せず）、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持されるので、シャッターカーテン１５を自動的に巻き取ることができる。つまり、シャッターカーテン１５を自動的に開放することができる。
【００６０】
即ち、ロック解除操作部を一度操作するだけでロック解除状態が維持されるので、ロック解除操作部によるロック解除操作を行い続ける必要がなくなる。つまり、ロック解除操作を一度行いさえすれば、巻取シャフト１２に付与された付勢力のみでシャッターカーテン１５を開くことができる。また、ロック解除状態を解消するには、シャッターカーテン１５を閉操作すれだけでよい。すると、そのシャッターカーテン１５の閉操作に伴って閉方向に回動するラチェットギヤ２６とラチェット摺接部材８０との摩擦により、ラチェットレバー３０が中間のラチェット無効位置から最端のラチェット無効位置へと移動し、解除保持レバー４０から離間する。そして、トーションコイルバネ４６の付勢により解除保持レバー４０が待機位置に戻る。
【００６１】
このように、本実施形態のシャッター装置１０及びシャッター用ロック装置２０によれば、任意の位置までシャッターカーテン１５を閉めて開かないようにロックすることが可能であると共に、そのロックを解除してシャッターカーテン１５の開操作を行う一連の操作における操作性を向上させることができる。また、ロック解除状態を維持可能でありながら、シャッターカーテン１５を閉じる操作に伴ってロック解除状態が解消されるので、シャッターカーテン１５を閉操作してからロックを掛け忘れるような事態を防ぐことができる。更には、回転式ダンパー２９がシャッターカーテン１５の移動速度を抑えるので、シャッターカーテン１５が全開位置に急停止して過大な騒音を発生させる事態を防ぐことができる。その上、全開位置に向けての中間での操作音も小さく抑えることができる。
【００６２】
しかも、本実施形態のシャッター用ロック装置２０は、ラチェットギヤ２６、ラチェットレバー３０等を環状構造のハウジング２１内に収容して備えたユニット構造になっているので、シャッターカーテン１５の巻取シャフト１２と支持シャフト１１との間に容易に連結することができる。即ち、ハウジング２１を支持シャフト１１の外側に挿通していき、巻取シャフト１２の一端面の凹凸係合部と、ハウジング２１の前面孔を介して露出したラチェットギヤ２６のギヤ側凹凸係合部とが凹凸係合した位置で、ハウジング２１と支持シャフトとを固定すれば、シャッター用ロック装置２０が巻取シャフト１２と支持シャフトとの間に連結される。
【００６３】
その上、シャッター用ロック装置２０は、巻回されたシャッターカーテン１５の内側のスペースに収容されるので、そのスペースを有効利用することができる。これにより、シャッター装置１０を横方向にコンパクトな構成にすることができる。
【００６４】
また、本実施形態のシャッター用ロック装置２０が有するラチェット摺接部材８０は、ラチェットレバー３０の外縁部に宛われる中央板部８３の両側から第１及び第２の弾性対向片８１，８２を曲げ起こして対向配置した構造になっているので、第１及び第２の弾性対向片８１，８２のうちバリが突出していない側の面が互いに対向するように配置することができ、バリとラチェットギヤ２６との摺接異音の発生を防ぐことができる。また、第１及び第２の弾性対向片８１，８２には、それらに突出形成された１対の摺接突部９１，９２の先端部に向かうに従って徐々に互いに接近するように傾斜した１対のガイド傾斜部９１Ｂ，９２Ｂが備えられているので、１対のガイド傾斜部９１Ｂ，９２Ｂの間にラチェットギヤ２６を押し込んで第１及び第２の弾性対向片８１，８２を押し広げることができる。即ち、従来のように弾性対向片同士の間を予め押し広げた状態に保持しておく必要がなくなり、組み付け作業を効率よく行うことができる。
【００６５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）前記実施形態のラチェット摺接部材８０は、例えば、ラチェットレバー３０の外縁部に１対の雌螺子孔を形成すると共に、ラチェット摺接部材８０の中央板部８３に１対の螺子挿通孔を形成して、それら螺子挿通孔に挿通した螺子にてラチェット摺接部材８０をラチェットレバー３０に固定してもよい。
【００６７】
（２）本発明に係るラチェット摺接部材は、上記したシャッター用ロック装置２０以外のラチェット機構（例えば、ワイヤー巻き取り機のラチェット機構）のラチェットレバーに取り付けてもよい。
【符号の説明】
【００６８】
１０    シャッター装置
１１    支持シャフト
１２    巻取シャフト
１５    シャッターカーテン
２０    シャッター用ロック装置
２１    ハウジング
２２    固定片
２６    ラチェットギヤ
２６Ｂ  突片連結孔
２９    回転式ダンパー
３０    ラチェットレバー
３１    第１回動支持シャフト
４０    解除保持レバー
４６    トーションコイルバネ（待機位置付勢手段）
５２    引張コイルバネ
６０    後面蓋（カバー）
８０    ラチェット摺接部材
８１    第１の弾性対向片
８２    第２の弾性対向片
８３    中央板部
８４    取付片
８７    取付孔
９１，９２    摺接突部
９１Ｂ，９２Ｂ    ガイド傾斜部
【図１】
0005561833.tif 000002
【図２】
0005561833.tif 000003
【図３】
0005561833.tif 000004
【図４】
0005561833.tif 000005
【図５】
0005561833.tif 000006
【図６】
0005561833.tif 000007
【図７】
0005561833.tif 000008
【図８】
0005561833.tif 000009
【図９】
0005561833.tif 000010
【図１０】
0005561833.tif 000011
【図１１】
0005561833.tif 000012
【図１２】
0005561833.tif 000013
【図１３】
0005561833.tif 000014